(57)【特許請求の範囲】
【請求項１】
（a）  一般式：
CH2=C(−X)−C(=O)−Y−[−(CH2)m−Z−]p−(CH2)n−Rf            (I)
[式中、Ｘは、水素原子、メチル基、フッ素原子、塩素原子、臭素原子、ヨウ素原子、ＣＦＸ1Ｘ2基（但し、Ｘ1およびＸ2は、水素原子、フッ素原子または塩素原子である。）、シアノ基、炭素数１〜２０の直鎖状または分岐状のフルオロアルキル基、置換または非置換のベンジル基、置換または非置換のフェニル基であり；
Ｙは、−Ｏ−または−ＮＨ−であり；
Ｚは、直接結合、−Ｓ−または−ＳＯ２−であり；
Ｒｆは、炭素数１〜６のフルオロアルキル基であり；
ｍは１〜10、ｎは０〜10、ｐは０または１である。]
で示される含フッ素単量体、
(b)   一般式：
CH2=C(X’)-C(=O)-O-(RO)q-H        （ＩＩ）
[式中、X’は、水素原子またはメチル基であり；
Rは、水素原子の一部または全部が水酸基で置換されていてもよい炭素数２〜４のアルキレン基であり；
ｑは、2〜50の整数である。]
で示されるアルコキシ基含有単量体、および
(c)  一般式：
CH2=C(X”)-C(=O)-O-(R”O)q’- C(=O) -C(X”)=CH2        （III）
[式中、それぞれのX”は、水素原子またはメチル基であり；
R”は、水素原子の一部または全部が水酸基で置換されていてもよい炭素数２〜１０のアルキレン基であり；
ｑ’は、１〜50の整数である。]
で示されるジ（メタ）アクリレートである架橋性単量体
を必須成分としており、
アミノ基を有する単量体を含有しない含フッ素共重合体。
【請求項２】
含フッ素単量体（ａ）において、ｐが0の整数である請求項１に記載の含フッ素共重合体。
【請求項３】
含フッ素単量体（ａ）において、Ｘが水素原子である請求項１に記載の含フッ素共重合体。
【請求項４】
含フッ素単量体（ａ）において、Ｒｆが炭素数６のパーフルオロアルキル基である請求項１に記載の含フッ素共重合体。
【請求項５】
アルコキシ基含有単量体（ｂ）において、ｑが１〜３０の整数である請求項１〜４のいずれかに記載の含フッ素共重合体。
【請求項６】
含フッ素共重合体において、
非フッ素非架橋単量体（b）の量が、含フッ素単量体（a）の量１００重量部に対して、１０〜４００重量部であり、
架橋性単量体（ｃ）の量が、含フッ素単量体（a）とアルコキシ基含有単量体（b）の合計１００重量部に対して０．１〜３０重量部である請求項１〜５のいずれかに記載の含フッ素共重合体。
【請求項７】
１０時間半減期温度が４０℃以上である有機過酸化物である重合開始剤を用いる重合により得られた請求項１〜６のいずれかに記載の含フッ素共重合体。
【請求項８】
重合開始剤がｔ−ブチルパーオキシピバレートである請求項７に記載の含フッ素共重合体。
【請求項９】
含フッ素共重合体の数平均分子量が１０００〜１００００００である請求項１〜８のいずれかに記載の含フッ素共重合体。
【請求項１０】
請求項1〜９のいずれかに記載の含フッ素共重合体、ならびに水および/または有機溶媒を必須成分とする組成物。
【請求項１１】
溶液、エマルションまたはエアゾールの形態である請求項１０に記載の組成物。
【請求項１２】
請求項１０または１１に記載の組成物からなる紙用処理剤。
【請求項１３】
請求項１２に記載の紙用処理剤で紙を処理する方法。
【請求項１４】
請求項１２に記載の紙用処理剤で処理された紙。
【請求項１５】
請求項１０または１１に記載の組成物からなる化粧品用被膜形成剤。
【請求項１６】
請求項１５に記載の化粧品用被膜形成剤で被膜を形成する方法。
【請求項１７】
請求項１５に記載の化粧品用被膜形成剤によって形成された被膜。
【請求項１８】
請求項１０または１１に記載の組成物からなる離型剤。
【請求項１９】
請求項１８に記載の離型剤で成形品を離型する方法。
【請求項２０】
請求項１８に記載の離型剤で離型された成形品。
【発明の詳細な説明】
【技術分野】
【０００１】
本発明は、含フッ素共重合体、および該含フッ素共重合体を含んでなる紙用処理剤に関する。本発明は、該含フッ素共重合体を含んでなる化粧品用被膜形成剤および離型剤にも関する。
【背景技術】
【０００２】
従来、種々の含フッ素共重合体化合物が提案されている。含フッ素共重合体化合物には、耐熱性、耐酸化性、耐候性などの特性に優れているという利点がある。含フッ素共重合体化合物の自由エネルギーが低い、すなわち、付着し難いという特性を利用して、含フッ素共重合体化合物は、例えば、撥水撥油剤および防汚剤として使用されている。【０００３】
さらに、最近になってテロメリゼーションによって得られる炭素数８のＲf基を含有する化合物については、
Federal Register(FR Vol.68,No.73/April 16,2003［FRL-7303-8］)（http://www.epa.gov/opptintr/pfoa/pfoafr.pdf）や
EPA Environmental News  FOR RELEASE: MONDAY APRIL 14, 2003
EPA INTENSIFIES SCIENTIFIC INVESTIGATION OF A CHEMICAL PROCESSING AID
（http://www.epa.gov/opptintr/pfoa/pfoaprs.pdf） や
EPA  OPPT FACT SHEET April 14, 2003（http://www.epa.gov/opptintr/pfoa/pfoafacts.pdf）が、テロマーが分解または代謝により perfluorooctanoic acid(以下、「PFOA」と略す）を生成する可能性があると公表している。
EPA(米国環境保護庁)は、PFOAに対して科学的調査を強化することを発表している。（EPAレポート"PRELIMINARY RISK ASSESSMENT OF THE DEVELOPMENTAL TOXICITY ASSOCIATED WITH EXPOSURE TO PERFLUOROOCTANOIC ACID AND ITS SALTS" (http://www.epa.gov/opptintr/pfoa/pfoara.pdf) 参照）。【０００４】
米国特許３６５４２４４号明細書には、含フッ素単量体と水溶性単量体からなる含フッ素重合体を汚れ脱離剤として使用することが開示されている。
我々はこれら含フッ素重合体を紙に処理してみたが、紙に対して充分な耐油性を付与することができず、且つ、水への充分な分散ができなかった。
一方、米国特許４１２７７１１号明細書には、含フッ素単量体と水溶性単量体とアミノモノマーからなる含フッ素重合体が開示されている。
WO 2005/090423公報には、含フッ素単量体と水溶性単量体とアミノモノマーからなる含フッ素重合体を紙用の汚れ脱離剤として使用することが開示されている。
これら含フッ素共重合体は、水媒体への分散性を良好にするためや貯蔵安定性を向上させるために、非フッ素単量体としてアミノモノマーを成分の1つとすることを必須として、共重合体のアミノ基の一部または全てをアミン塩化または第4アンモニウム塩に変換させている。
我々は、これらの含フッ素共重合体を紙に処理してみたが、充分な耐油性が得られなかった。
【特許文献１】米国特許３６５４２４４号明細書
【特許文献２】米国特許４１２７７１１号明細書
【特許文献３】WO 2005/090423公報
【発明の開示】
【発明が解決しようとする課題】
【０００５】
本発明の目的は、アミノ基を有する単量体を含有しなくても、含フッ素共重合体が水媒体における充分な安定性を有しており、且つ、アミノ基を有する単量体を含有する含フッ素共重合体より、紙に対して充分な耐油性を付与できるアミノ基を有する単量体を含有しない含フッ素共重合体を提供することにある。
【課題を解決するための手段】
【０００６】
本発明は、
（a）  一般式：
CH2=C(−X)−C(=O)−Y−[−(CH2)m−Z−]p−(CH2)n−Rf            (I)
[式中、Ｘは、水素原子、メチル基、フッ素原子、塩素原子、臭素原子、ヨウ素原子、ＣＦＸ1Ｘ2基（但し、Ｘ1およびＸ2は、水素原子、フッ素原子または塩素原子である。）、シアノ基、炭素数１〜２０の直鎖状または分岐状のフルオロアルキル基、置換または非置換のベンジル基、置換または非置換のフェニル基であり；
Ｙは、−Ｏ−または−ＮＨ−であり；
Ｚは、直接結合、−Ｓ−または−ＳＯ２−であり；
Ｒｆは、炭素数１〜６のフルオロアルキル基であり；
ｍは１〜10、ｎは０〜10、ｐは０または１である。]
で示される含フッ素単量体  及び
(b)   一般式：
CH2=C(X’)-C(=O)-O-(RO)q-H        （ＩＩ）
[式中、X’は、水素原子またはメチル基であり；
Rは、水素原子の一部または全部が水酸基で置換されていてもよい炭素数２〜４のアルキレン基であり；
ｑは、１〜50の整数である。]
で示されるアルコキシ基含有単量体
を必須成分としており、
アミノ基を有する単量体を含有しない含フッ素共重合体を提供する。
【発明の効果】
【０００７】
本発明の含フッ素共重合体は、重合体にアミノ基を含有しなくても水中における充分な安定性を有しており、紙に対して充分な耐油性を付与できる。
【発明を実施するための形態】
【０００８】
本発明の含フッ素共重合体は、一般に、アミノ基を有する単量体から構成された繰り返し単位を有しない。
アミノ基は、一般に、式：
（Ｒ１１）（Ｒ１２）Ｎ−
［式中、Ｒ１１およびＲ１２は、同一または異なって、一価の基（例えば、水素原子、）である。］
で示される基である。アミノ基を有する単量体は、一般に、アミノ基に加えて、少なくとも１つの炭素−炭素二重結合を有する。
【０００９】
含フッ素単量体（ａ）は、一般式：
CH2=C(−X)−C(=O)−Y−[−(CH2)m−Z−]p−(CH2)n−Rf            （Ｉ）
[式中、Ｘは、水素原子、メチル基、炭素数１〜２１の直鎖状または分岐状のアルキル基、フッ素原子、塩素原子、臭素原子、ヨウ素原子、
ＣＦＸ1Ｘ2基（但し、Ｘ1およびＸ2は、水素原子、フッ素原子、塩素原子、臭素原子またはヨウ素原子である。）、シアノ基、炭素数１〜２１の直鎖状または分岐状のフルオロアルキル基、置換または非置換のベンジル基、置換または非置換のフェニル基であり；
Ｙは、−Ｏ−または−ＮＨ−であり；
Ｚは、直接結合、−Ｓ−または−ＳＯ２−であり；
Ｒｆは、炭素数１〜６のフルオロアルキル基であり；
ｍは１〜10、ｎは０〜10、ｐは０または１である。]
で示されるものである。一般式（Ｉ）において、ｐが０であることが好ましい。
【００１０】
Ｘの好ましい例は水素原子である。
【００１１】
含フッ素単量体（ａ）において、Ｒｆ基は一般にはパーフルオロアルキル基および/または部分的にフッ素化されたフルオロアルキル基である。Ｒｆ基はパーフルオロアルキル基であることが好ましい。Ｒｆ基の炭素数は炭素数１〜６である。Ｒｆ基の炭素数は、４、５または６、特に６であってよい。Ｒｆ基の例は、−ＣＦ3、−ＣＦ2ＣＦ3、−ＣＦ2ＣＦ2ＣＦ3、−ＣＦ(ＣＦ3) 2、−ＣＦ2ＣＦ2ＣＦ2ＣＦ3、−ＣＦ2ＣＦ(ＣＦ3)2、−Ｃ(ＣＦ３)3、−(ＣＦ2)4ＣＦ3、−(ＣＦ2)2ＣＦ(ＣＦ3)2、−ＣＦ2Ｃ(ＣＦ3)3、−ＣＦ(ＣＦ3)ＣＦ2ＣＦ2ＣＦ3、−(ＣＦ2)5ＣＦ3等である。
【００１２】
ｍは１〜10、例えば２〜５，ｎは０〜10、例えば１〜６、特に２〜５である。
含フッ素単量体（ａ）は単独で使用することはもちろんのこと、２種以上を混合して用いてもよい。
【００１３】
含フッ素単量体（ａ）としては例えば、次のものが挙げられる。
CH2=C(−X)−C(=O)−O−(CH2)m−S−(CH2)n−Rf
CH2=C(−X)−C(=O)−O−(CH2)m−SO2−(CH2)n−Rf
CH2=C(−X)−C(=O)−O−(CH2)n−Rf
CH2=C(−X)−C(=O)−NH−(CH2)n−Rf
[上記式中、Ｘは、水素原子、メチル基、フッ素原子、塩素原子、臭素原子、ヨウ素原子、ＣＦＸ1Ｘ2基（但し、Ｘ1およびＸ2は、水素原子、フッ素原子または塩素原子である。）、シアノ基、炭素数１〜２０の直鎖状または分岐状のフルオロアルキル基、置換または非置換のベンジル基、置換または非置換のフェニル基であり；
Ｒｆは、１〜６のフルオロアルキル基であり；
ｍは１〜10、ｎは０〜10である。]
【００１４】
含フッ素単量体（ａ）の具体例としては、例えば以下のものを例示できるが、これらに限定されるものではない。
CH2=C(−H)−C(=O)−O−(CH2)2−S−Rf
CH2=C(−H)−C(=O)−O−(CH2)2−S−(CH2)2−Rf
CH2=C(−H)−C(=O)−O−(CH2)3−SO2−Rf
CH2=C(−H)−C(=O)−O−(CH2)2−SO2−(CH2)2−Rf
CH2=C(−H)−C(=O)−O−(CH2)2−Rf
CH2=C(−H)−C(=O)−NH−(CH2)2−Rf
CH2=C(−H)−C(=O)−OCH2CH2N(C2H5)SO2−Rf
CH2=C(−H)−C(=O)−OCH2CH2N(CH3)SO2−Rf
CH2=C(−H)−C(=O)−OCH2CH(OCOCH3)CH2−Rf
CH2=C(−CH3)−C(=O)−O−(CH2)2−S−Rf
CH2=C(−CH3)−C(=O)−O−(CH2)2−S−(CH2)2−Rf
CH2=C(−CH3)−C(=O)−O−(CH2)3−SO2−Rf
CH2=C(−CH3)−C(=O)−O−(CH2)2−SO2−(CH2)2−Rf
CH2=C(−CH3)−C(=O)−O−(CH2)2−Rf
CH2=C(−CH3)−C(=O)−NH−(CH2)2−Rf
CH2=C(−CH3)−C(=O)−OCH2CH2N(C2H5)SO2−Rf
CH2=C(−CH3)−C(=O)−OCH2CH2N(CH3)SO2−Rf
CH2=C(−CH3)−C(=O)−OCH2CH(OCOCH3)CH2−Rf
【００１５】
CH2=C(−F)−C(=O)−O−(CH2)2−S−Rf
CH2=C(−F)−C(=O)−O−(CH2)2−S−(CH2)2−Rf
CH2=C(−F)−C(=O)−O−(CH2)2−SO2−Rf
CH2=C(−F)−C(=O)−O−(CH2)2−SO2−(CH2)2−Rf
CH2=C(−F)−C(=O)−O−(CH2)2−Rf
CH2=C(−F)−C(=O)−NH−(CH2)2−Rf
CH2=C(−Cl)−C(=O)−O−(CH2)2−S−Rf
CH2=C(−Cl)−C(=O)−O−(CH2)2−S−(CH2)2−Rf
CH2=C(−Cl)−C(=O)−O−(CH2)2−SO2−Rf
CH2=C(−Cl)−C(=O)−O−(CH2)2−SO2−(CH2)2−Rf
CH2=C(−Cl)−C(=O)−O−(CH2)2−Rf
CH2=C(−Cl)−C(=O)−NH−(CH2)2−Rf
【００１６】
CH2=C(−CF3)−C(=O)−O−(CH2)2−S−Rf
CH2=C(−CF3)−C(=O)−O−(CH2)2−S−(CH2)2−Rf
CH2=C(−CF3)−C(=O)−O−(CH2)2−SO2−Rf
CH2=C(−CF3)−C(=O)−O−(CH2)2−SO2−(CH2)2−Rf
CH2=C(−CF3)−C(=O)−O−(CH2)2−Rf
CH2=C(−CF3)−C(=O)−NH−(CH2)2−Rf
CH2=C(−CF2H)−C(=O)−O−(CH2)2−S−Rf
CH2=C(−CF2H)−C(=O)−O−(CH2)2−S−(CH2)2−Rf
CH2=C(−CF2H )−C(=O)−O−(CH2)2−SO2−Rf
CH2=C(−CF2H )−C(=O)−O−(CH2)2−SO2−(CH2)2−Rf
CH2=C(−CF2H )−C(=O)−O−(CH2)2−Rf
CH2=C(−CF2H )−C(=O)−NH−(CH2)2−Rf
CH2=C(−CN)−C(=O)−O−(CH2)2−S−Rf
CH2=C(−CN)−C(=O)−O−(CH2)2−S−(CH2)2−Rf
CH2=C(−CN )−C(=O)−O−(CH2)2−SO2−Rf
CH2=C(−CN )−C(=O)−O−(CH2)2−SO2−(CH2)2−Rf
CH2=C(−CN )−C(=O)−O−(CH2)2−Rf
CH2=C(−CN )−C(=O)−NH−(CH2)2−Rf
【００１７】
CH2=C(−CF2CF3)−C(=O)−O−(CH2)2−S−Rf
CH2=C(−CF2CF3)−C(=O)−O−(CH2)2−S−(CH2)2−Rf
CH2=C(−CF2CF3 )−C(=O)−O−(CH2)2−SO2−Rf
CH2=C(−CF2CF3 )−C(=O)−O−(CH2)2−SO2−(CH2)2−Rf
CH2=C(−CF2CF3 )−C(=O)−O−(CH2)2−Rf
CH2=C(−CF2CF3 )−C(=O)−NH−(CH2)2−Rf
CH2=C(−F)−C(=O)−O−(CH2)3−S−Rf
CH2=C(−F)−C(=O)−O−(CH2)3−S−(CH2)2−Rf
CH2=C(−F)−C(=O)−O−(CH2)3−SO2−Rf
CH2=C(−F)−C(=O)−O−(CH2)3−SO2−(CH2)2−Rf
CH2=C(−F)−C(=O)−O−(CH2)3−Rf
CH2=C(−F)−C(=O)−NH−(CH2)3−Rf
【００１８】
CH2=C(−Cl)−C(=O)−O−(CH2)3−S−Rf
CH2=C(−Cl)−C(=O)−O−(CH2)3−S−(CH2)2−Rf
CH2=C(−Cl)−C(=O)−O−(CH2)3−SO2−Rf
CH2=C(−Cl)−C(=O)−O−(CH2)3−SO2−(CH2)2−Rf
CH2=C(−CF3)−C(=O)−O−(CH2)3−S−Rf
CH2=C(−CF3)−C(=O)−O−(CH2)3−S−(CH2)2−Rf
CH2=C(−CF3)−C(=O)−O−(CH2)3−SO2−Rf
CH2=C(−CF3)−C(=O)−O−(CH2)3−SO2−(CH2)2−Rf
CH2=C(−CF2H)−C(=O)−O−(CH2)3−S−Rf
CH2=C(−CF2H)−C(=O)−O−(CH2)3−S−(CH2)2−Rf
CH2=C(−CF2H )−C(=O)−O−(CH2)3−SO2−Rf
CH2=C(−CF2H )−C(=O)−O−(CH2)3−SO2−(CH2)2−Rf
【００１９】
CH2=C(−CN)−C(=O)−O−(CH2)3−S−Rf
CH2=C(−CN)−C(=O)−O−(CH2)3−S−(CH2)2−Rf
CH2=C(−CN )−C(=O)−O−(CH2)3−SO2−Rf
CH2=C(−CN )−C(=O)−O−(CH2)3−SO2−(CH2)2−Rf
CH2=C(−CF2CF3)−C(=O)−O−(CH2)3−S−Rf
CH2=C(−CF2CF3)−C(=O)−O−(CH2)3−S−(CH2)2−Rf
CH2=C(−CF2CF3 )−C(=O)−O−(CH2)3−SO2−Rf
CH2=C(−CF2CF3 )−C(=O)−O−(CH2)2−SO2−(CH2)2−Rf
[上記式中、Ｒｆは、１〜６のフルオロアルキル基である。]
【００２０】
アルコキシ基含有単量体（ｂ）は、非フッ素単量体であり、一般式：
(b)   一般式：
CH2=C(X’)-C(=O)-O-(RO)q-H        （ＩＩ）
[式中、X’は、水素原子またはメチル基であり；
Rは、水素原子の一部または全部が水酸基で置換されていてもよい炭素数２〜４のアルキレン基であり；
ｑは、１〜50の整数である。]
で示される化合物(アルキレングリコール（メタ）アクリレート)である。
アルコキシ基含有単量体（ｂ）において、ｑが１〜３０、例えば２〜１０、特に２〜５であることが好ましい。
【００２１】
一般式（ＩＩ）において、Rは、エチレンまたはプロピレン、特にエチレンであることが好ましい。一般式（ＩＩ）中のRは２種類以上のアルキレンの組み合わせであっても良い。その場合、少なくともRのひとつはエチレンであることが好ましい。Rの組合せとしては、エチレン基/プロピレン基の組合せ、エチレン基/ブチレン基の組合せが挙げられる。
アルコキシ基含有単量体（ｂ）は、2種類以上の混合物であっても良い。
【００２２】
アルコキシ基含有単量体（ｂ）の具体例は、例えば以下のものを例示できるが、これらに限定されるものではない。
CH2=CHCOO-(CH2CH2O)9-H
CH2=C(CH3)COO-(CH2CH2O)9-H
CH2=C(CH3)COO-(CH2CH2O)23-H
CH2=C(CH3)COO-(CH2CH2O)50-H
CH2=C(CH3)COO-(CH2CH(CH3)O)9-H
CH2=CHCOO-(CH2CH(CH3)O)9-H
CH2=C(CH3)COO-(CH2CH(CH3)O)9-H
CH2=C(CH3)COO-(CH2CH2O)5-(CH2CH(CH3)O)2-H
CH2=C(CH3)COO-(CH2CH2O)8-(CH2CH(CH3)O)6-H
【００２３】
含フッ素共重合体は、（ｃ）架橋性単量体を含んでもよい。架橋性単量体（ｃ）は、少なくとも２つの反応性基および／または炭素−炭素二重結合を有し、フッ素を含有しない化合物であってよい。架橋性単量体（ｃ）は、少なくとも２つの炭素−炭素二重結合を有する化合物、あるいは少なくとも１つの炭素−炭素二重結合および少なくとも１つの反応性基を有する化合物であってよい。反応性基の例は、ヒドロキシル基、エポキシ基、クロロメチル基、ブロックドイソシアネート、カルボキシル基、などである。本発明においては、アミノ基を有する単量体を使用しない。
【００２４】
架橋性単量体（ｃ）が非フッ素架橋性単量体であることが好ましく、特に、ジ（メタ）アクリレートであることが好ましい。
架橋性単量体（ｃ）が、一般式：
CH2=C(X”)-C(=O)-O-(R”O)q-C(=O)-C(X”)=CH2        （III）
[式中、それぞれのX”は、水素原子またはメチル基であり；
R”は、水素原子の一部または全部が水酸基で置換されていてもよい炭素数２〜１０のアルキレン基であり；
ｑは、１〜50の整数である。]
で示される化合物（アルキレングリコールジ（メタ）アクリレート）であることが好ましい。R”の炭素数は、２〜１０、例えば２〜６、特に２〜４である。R”は、エチレン基であることが好ましい。
式（ＩＩＩ）で示されるアルキレングリコールジ（メタ）アクリレートの具体例は次のとおりである。
【００２５】
CH2=C(CH3)COO-(CH2CH2O)5-COC(CH3)=CH2
CH2=CHCOO-(CH2CH2O)9-COCH=CH2
CH2=C(CH3)COO-(CH2CH(CH3)O)12-COCH=CH2
CH2=CHCOO-(CH2CH2O)5-(CH2CH(CH3)O)3-COCH=CH2
CH2=C(CH3)COO-(CH2CH2O)23-OOC(CH3)C=CH2
CH2=C(CH3)COO-(CH2CH2O)20-(CH2CH(CH3)O)5-COCH=CH2 
【００２６】
架橋性単量体（ｃ）の他の例としては、ジアセトン（メタ）アクリルアミド、(メタ)アクリルアミド、Ｎ−メチロール（メタ）アクリルアミド、ヒドロキシメチル(メタ)アクリレート、ヒドロキシエチル(メタ)アクリレート、３−クロロ−２−ヒドロキシプロピル(メタ)アクリレート、ブタジエン、クロロプレン、グリシジル(メタ)アクリレート、１,６−ヘキサンジオールアクリレート、ネオペンチルグリコールジアクリレートなどが例示されるが、これらに限定されるものでない。
【００２７】
架橋性単量体（ｃ）のさらに他の例としては、グリセロール(メタ)アクリレート、アセトアセトキシエチル(メタ)アクリレート、２−イソシアナートエチルメタクリレートのようなイソシアネート基含有（メタ）アクリレートまたはメチルエチルケトオキシム等のブロック化剤でイソシアネート基がブロックされたそれらの（メタ）アクリレートなどが例示される。
架橋性単量体（ｃ）は、２種以上の混合物であってよい。
【００２８】
含フッ素共重合体は、（ｄ）非架橋性単量体を含有してもよい。非架橋性単量体（ｄ）はアルコキシ基含有単量体（ｂ）以外の単量体、一般に非フッ素単量体である。非架橋性単量体（ｄ）は、フッ素を含有せず、炭素-炭素二重結合を有する単量体であることが好ましい。非架橋性単量体（ｄ）は、フッ素を含有しないビニル性単量体であることが好ましい。非架橋性単量体は、一般に、１つの炭素-炭素二重結合を有する化合物である。
【００２９】
非架橋性単量体（ｄ）としては、ブタジエン、クロロプレン、マレイン酸誘導体、塩化ビニルのようなハロゲン化ビニル、エチレン、塩化ビニリデンのようなハロゲン化ビニリデン、ビニルアルキルエーテル、スチレン、アルキル(メタ)アクリレート、ビニルピロリドン、などが例示されるが、これらに限定されるものでない。
【００３０】
非架橋性単量体（ｄ）は、アルキル基を含有する（メタ）アクリル酸エステルであってよい。アルキル基の炭素数は、１〜３０、例えば、６〜３０、例示すれば、１０〜３０であってよい。例えば、非架橋性単量体は一般式：
ＣＨ２＝ＣＡ１ＣＯＯＡ２
［式中、Ａ１は水素原子またはメチル基、Ａ２はＣｎＨ２ｎ＋１(n＝１〜３０)で示されるアルキル基である。］
で示されるアクリレート類であってよい。
【００３１】
含フッ素共重合体は、含フッ素単量体（ａ）１００重量部を含有する。含フッ素単量体（ａ）１００重量部に対して、
アルコキシ基含有単量体（ｂ）の量は、１０〜４００重量部、例えば２５〜１５０重量部、特に１００〜４３重量部であり、
架橋性単量体（ｃ）の量は、３０重量部以下、例えば０．１〜２０重量部、特に０．５〜１０重量部であり、
非架橋性単量体（ｄ）の量は、２０重量部以下、例えば０．１〜１５重量部、特に０．５〜１０重量部であることが好ましい。
【００３２】
本発明の含フッ素共重合体の重量平均分子量は、１０００〜１００００００、好ましくは５０００〜５０００００であってよい。重量平均分子量は、ゲルパーミエーションクロマトグラフィーによりポリスチレン換算で求めた値である。
【００３３】
含フッ素共重合体の重合は、特に限定されず塊状重合、溶液重合、乳化重合、放射線重合などの種々重合方法を選択できる。例えば一般的には有機溶剤を用いた溶液重合や、水または有機溶剤と水を併用する乳化重合が選定される。重合後に水で希釈したり、乳化剤を加えて水に乳化することで処理液に調製される。
本発明においては、重合（例えば、溶液重合または乳化重合）後、脱溶剤してから水を加えて、重合体を水に分散させることが好ましい。
有機溶剤としては、アセトン、メチルエチルケトンなどのケトン類、酢酸エチル、酢酸メチルなどのエステル類、プロピレングリコール、ジプロピレングリコールモノメチルエーテル、ジプロピレングリコール、トリプロピレングリコール、低分子量のポリエチレングリコールなどのグリコール類、エチルアルコール、イソプロパノールなどのアルコール類などが挙げられる。
乳化重合や重合後、乳化剤を加えて水に乳化する場合の乳化剤としては、アニオン性、カチオン性、ノニオン性の一般的な各種乳化剤が使用できる。
【００３４】
重合開始剤として、例えば過酸化物、アゾ化合物または過硫酸系の化合物を使用し得る。重合開始剤は、一般に、水溶性および／または油溶性である。
油溶性重合開始剤の具体例としては、２，２’−アゾビス（２−メチルプロピオニトリル）、２，２’−アゾビス（２−メチルブチロニトリル）、２，２’−アゾビス（２、４−ジメチルバレロニトリル）、２，２’−アゾビス（２、４−ジメチル４−メトキシバレロニトリル）、１，１’−アゾビス（シクロヘキサン−１−カルボニトリル）、ジメチル２，２’−アゾビス（２−メチルプロピオネート）、２，２’−アゾビス（２−イソブチロニトリル）、ベンゾイルパーオキシド、ジ−第三級−ブチルパーオキシド、ラウリルパーオキシド、クメンヒドロパーオキシド、ｔ−ブチルパーオキシピバレート、ジイソプロピルパーオキシジカーボネート、過ピバル酸ｔ−ブチル等が好ましく挙げられる。
【００３５】
また、水溶性重合開始剤の具体例としては、２，２’−アゾビスイソブチルアミジン２塩酸塩、２，２’−アゾビス（２−メチルプロピオナミジン）塩酸塩、２，２’−アゾビス［２−（２−イミダゾリン−２−イル）プロパン］塩酸塩、２，２’−アゾビス［２−（２−イミダゾリン−２−イル）プロパン］硫酸塩水和物、２，２’−アゾビス［２−（５−メチル−２−イミダゾリン−２−イル）プロパン］塩酸塩、過硫酸カリウム、過硫酸バリウム、過硫酸アンモニウム、過酸化水素等が好ましく挙げられる。
重合開始剤は、１０時間半減期温度が４０℃以上である有機過酸化物であることが好ましい。重合開始剤がｔ−ブチルパーオキシピバレートであることが特に好ましい。
重合開始剤は単量体１００重量部に対して、０．０１〜５重量部の範囲で用いられる。
また、分子量調節を目的として、連鎖移動剤、例えば、メルカプト基含有化合物を使用してもよく、その具体例として２−メルカプトエタノール、チオプロピオン酸、アルキルメルカプタンなどが挙げられる。メルカプト基含有化合物は単量体１００重量部に対して、１０重量部以下、０.０１〜５重量部の範囲で用いられる。
【００３６】
具体的には、含フッ素共重合体は、以下のようにして製造できる。
溶液重合では、単量体を有機溶剤に溶解させ、窒素置換後、重合開始剤を添加して、例えば４０〜１２０℃の範囲で１〜１０時間、加熱撹拌する方法が採用される。重合開始剤は、一般に、油溶性重合開始剤であってよい。
【００３７】
有機溶剤としては、単量体に不活性でこれらを溶解するものであり、例えば、アセトン、クロロホルム、ＨＣＨＣ２２５、イソプロピルアルコール、ペンタン、ヘキサン、ヘプタン、オクタン、シクロヘキサン、ベンゼン、トルエン、キシレン、石油エーテル、テトラヒドロフラン、１,４−ジオキサン、メチルエチルケトン、メチルイソブチルケトン、酢酸エチル、酢酸ブチル、１,１,２,２−テトラクロロエタン、１,１,１−トリクロロエタン、トリクロロエチレン、パークロロエチレン、テトラクロロジフルオロエタン、トリクロロトリフルオロエタンなどが挙げられる。有機溶剤は単量体の合計１００重量部に対して、５０〜２０００重量部、例えば、５０〜１０００重量部の範囲で用いられる。
【００３８】
乳化重合では、単量体を乳化剤などの存在下、水中に乳化させ、窒素置換後、重合開始剤を添加し、４０〜８０℃の範囲で１〜１０時間、撹拌して重合させる方法が採用される。重合開始剤は、過酸化ベンゾイル、過酸化ラウロイル、ｔ−ブチルパーベンゾエート、１−ヒドロキシシクロヘキシルヒドロ過酸化物、３−カルボキシプロピオニル過酸化物、過酸化アセチル、アゾビスイソブチルアミジン−二塩酸塩、アゾビスイソブチロニトリル、過酸化ナトリウム、過硫酸カリウム、過硫酸アンモニウムなどの水溶性のものやアゾビスイソブチロニトリル、ベンゾイルパーオキシド、ジ−ｔ−ブチルパーオキシド、ラウリルパーオキシド、クメンヒドロパーオキシド、t−ブチルパーオキシピバレート、ジイソプロピルパーオキシジカーボネートなどの油溶性のものが用いられる。重合開始剤は単量体１００重量部に対して、０.０１〜１０重量部の範囲で用いられる。
【００３９】
放置安定性の優れた重合体水分散液を得るためには、高圧ホモジナイザーや超音波ホモジナイザーのような強力な破砕エネルギーを付与できる乳化装置を用いて、単量体を水中に微粒子化し、油溶性重合開始剤を用いて重合することが望ましい。また、乳化剤としてはアニオン性、カチオン性あるいはノニオン性の各種乳化剤を用いることができ、単量体１００重量部に対して、０.５〜２０重量部の範囲で用いられる。アニオン性および／またはノニオン性および／またはカチオン性の乳化剤を使用することが好ましい。単量体が完全に相溶しない場合は、これら単量体に充分に相溶させるような相溶化剤、例えば、水溶性有機溶剤や低分子量の単量体を添加することが好ましい。相溶化剤の添加により、乳化性および共重合性を向上させることが可能である。
【００４０】
水溶性有機溶剤としては、アセトン、メチルエチルケトン、酢酸エチル、プロピレングリコール、ジプロピレングリコールモノメチルエーテル、ジプロピレングリコール、トリプロピレングリコール、エタノールなどが挙げられ、水１００重量部に対して、１〜５０重量部、例えば１０〜４０重量部の範囲で用いてよい。また、低分子量の単量体としては、メチルメタクリレート、グリシジルメタクリレート、２,２,２−トリフルオロエチルメタクリレートなどが挙げられ、単量体の総量１００重量部に対して、１〜５０重量部、例えば１０〜４０重量部の範囲で用いてよい。
【００４１】
本発明の処理剤は、溶液、エマルションまたはエアゾールの形態であることが好ましい。処理剤は、含フッ素共重合体および媒体（例えば、有機溶媒および水などの液状媒体）を含んでなる。処理剤において、含フッ素共重合体の濃度は、例えば、０．０１〜５０重量％であってよい。
【００４２】
本発明の処理剤は、紙を処理（例えば、表面処理）するために使用することができる。
本発明の処理剤は、従来既知の方法により被処理物に適用することができる。通常、処理剤を有機溶剤または水に分散して希釈して、浸漬塗布、スプレー塗布、泡塗布などのような既知の方法により、被処理物の表面に付着させ、乾燥する方法が採られる（表面処理）。含フッ素共重合体は、表面処理の場合に、紙の重量に対するフッ素原子の割合が０．０１〜０．５重量％、例えば、０．０５〜０．２重量％であってよい。
本発明の含フッ素共重合体は、基材、特に紙に良好に付着する。
【００４３】
紙は、従来既知の抄造方法によって製造できる。抄造前のパルプスラリーに処理剤を添加する内添法、または抄造後の紙に処理剤を適用する外添法を用いることができる。このように処理された基材は、室温または高温での簡単な乾燥後に、任意に、基材の性質に依存して３００℃（例えば２００℃）までの温度範囲をとり得る熱処理を伴うことで、優れた疎油性および疎水性を示す。
【００４４】
本発明は、石膏ボード原紙、コート原紙、中質紙、一般ライナー及び中芯、中性純白ロール紙、中性ライナー、防錆ライナー及び金属合紙、クラフト紙などにおいて使用することができる。また、中性印刷筆記用紙、中性コート原紙、中性ＰＰＣ用紙、中性感熱用紙、中性感圧原紙、中性インクジェット用紙及び中性情報用紙においても用いることができる。
【００４５】
パルプ原料としては、クラフトパルプあるいはサルファイトパルプ等の晒あるいは未晒化学パルプ、砕木パルプ、機械パルプあるいはサーモメカニカルパルプ等の
晒あるいは未晒高収率パルプ、新聞古紙、雑誌古紙、段ボール古紙あるいは脱墨古紙等の古紙パルプのいずれも使用することができる。また、上記パルプ原料と石綿、ポリアミド、ポリイミド、ポリエステル、ポリオレフィン、ポリビニルアルコール等の合成繊維との混合物も使用することができる。
【００４６】
サイズ剤を加えて、紙の耐水性を向上させることができる。サイズ剤の例は、カチオン性サイズ剤、アニオン性サイズ剤、ロジン系サイズ剤（例えば、酸性ロジン系サイズ剤、中性ロジン系サイズ剤）である。サイズ剤の量は、パルプに対して０．０１〜５重量％であってよい。
【００４７】
紙中には必要に応じて、通常使用される程度の製紙用薬品として、澱粉、上記のほかの各種変性澱粉、カルボキシメチルセルロース、ポリアミドポリアミン−エピクロルヒドリン樹脂等の紙力増強剤、歩留り向上剤、染料、蛍光染料、スライムコントロール剤、消泡剤等の紙の製造で使用される添加剤を使用することができる。
必要により、処理剤等を、サイズプレス、ゲートロールコーター、ビルブレードコーター、キャレンダー等で澱粉、ポリビニルアルコール、染料、コーティングカラー、防滑剤等で紙に塗布することができる。
【００４８】
本発明においては、被処理物品を処理剤で処理する。「処理」とは、処理剤を、浸漬、噴霧、塗布などにより被処理物に適用することを意味する。処理により、処理剤の有効成分である含フッ素共重合体が被処理物の内部に浸透するおよび／または被処理物の表面に付着する。
【００４９】
本発明の含フッ素共重合体は、化粧品として被膜を形成し得る。被膜は、含フッ素共重合体を含む組成物、特に、含フッ素共重合体、ならびに水および/または有機溶媒を必須成分とする組成物を、人体、例えば、皮膚、爪などの上に塗布し、液状媒体を乾燥などにより除去することによって形成することができる。
【００５０】
本発明の含フッ素共重合体は、離型剤として成形に使用できる。離型剤は、内部離型剤または外部離型剤である。例えば、型の内部に離型剤を塗布し、次いで、型に成形材料を充填し、成形材料を固化させることによって、成形を行うことができる。
【実施例】
【００５１】
次に、実施例、比較例及び試験例を挙げて本発明を具体的に説明する。ただし、これらの説明が本発明を限定するものでない。
以下において、部または％は、特記しない限り、重量部または重量％を表す。
以下において使用した試験方法は次のとおりである。【００５２】
耐油性
耐油性は、ＴＡＰＰＩ ＵＭ−５５７（キット試験）に従って測定した。表１に示す試験油１滴を紙の上に滴下し、１５秒後に油の浸透状態を観察する。浸透を示さない試験油が与える耐油度の最高点を耐油性とする。試験油の数字が大きい程、耐油性が優れる。【００５３】
【表１】
0005561160.tif 000002
【００５４】
水への分散安定性
水への分散安定性は次のようにして評価した。
水へ均一分散できていることが目視で確認でき、さらに24時間後に明らかなポリマー分離がないものを○、それ以外を  ×  とした。【００５５】
転化率
重合反応において、含フッ素モノマーの消費率が重合開始前と比較して９９．５％以上を  ○  、それ以外を  ×  とした。【００５６】
以下のようにして共重合体を製造した。
［実施例１］
還流冷却管、窒素導入管、温度計および撹拌装置を備えた１００ｍｌ四つ口フラスコに含フッ素モノマー CH2＝CHC(=O)O−CH2CH2C6F13（以下、C6SFA(a)と記す）を１８．６ｇ、ポリエチレングリコールアクリレート CH2=CHC(=O)O−(CH2CH2O)n−H
（BLEMMER  AE９０、日油株式会社製、nの平均値は２、以下、AE9０(b)と記す）を１１．４ｇ、２−メルカプトエタノールを０．３ｇとメチルエチルケトン（以下、MEKと記す）を４５ｇ仕込んで、３０分間窒素バブリングした。
窒素気流下で内温を５０−６５℃に昇温後、パーブチルPV (以下、PVと記す)を０．４ｇ添加し、６０から６５℃で６時間反応させた。
得られた溶液を減圧条件下にて約７０℃でMEKを留去し、淡黄色ポリマー残渣を得た後、水を１２２．４ｇ添加し、内温を約８０℃で１ｈｒ以上保った後、冷却して固形分濃度が約２０重量％の水分散液を調整した。【００５７】
［実施例２］
実施例１におけるMEKをメタノール（以下、MeOHと記す）に置換えて、実施例１と同様の重合反応を行い、固形分濃度が約２０重量％の水分散液を調整した。【００５８】
［実施例３］
実施例１におけるAE９０(b)をポリエチレングリコールメタアクリレート CH2=C(CH3)C(=O)O−(CH2CH2O)n−H
（BLEMMER  PE３５０、日油株式会社製、nの平均値は８、以下、PE３５０(b)と記す）に置換えて、実施例１と同様の重合反応を行い、固形分濃度が約２０重量％の水分散液を調整した。【００５９】
［実施例４］
還流冷却管、窒素導入管、温度計および撹拌装置を備えた１００ｍｌ四つ口フラスコにC６SFA(a)１８．６ｇ、AE９０(b)を５．７ｇ、ポリエチレングリコールアクリレート CH2=CHC(=O)O−(CH2CH2O)n−H
（BLEMMER  AE２００、日油株式会社製、nの平均値は４．５、以下、AE２００(b)と記す）を５．７ｇ、２−メルカプトエタノールを０．３ｇとMEK４５ｇを仕込んで、実施例１と同様の重合反応を行い、固形分濃度が約２０重量％の水分散液を調整した。【００６０】
［実施例５］
還流冷却管、窒素導入管、温度計および撹拌装置を備えた１００ｍｌ四つ口フラスコにC６SFA(a)１８．６ｇ、２−ヒドロキシエチルアクリレート（以下、HEA(b)と記す）を３ｇ、AE２００(b)を７．５ｇ、ポリエチレングリコールジアクリレート CH2=CHC(=O)O−(CH2CH2O)n−C(=O)CH＝CH2（BLEMMER  ADE３００、日油株式会社製、nの平均値は７、以下、ADE３００(ｃ)と記す）を０．９ｇ、２−メルカプトエタノールを０．４５ｇとMEK４５ｇを仕込んで、実施例１と同様の重合反応を行い、固形分濃度が約２０重量％の水分散液を調整した。【００６１】
［実施例６］
実施例５におけるHEA(b)を２−ヒドロキシエチルメタアクリレート（以下、HEMA(b)と記す）に置換えて、実施例１と同様の重合反応を行い、固形分濃度が約２０重量％の水分散液を調整した。【００６２】
［実施例７］
還流冷却管、窒素導入管、温度計および撹拌装置を備えた１００ｍｌ四つ口フラスコにC６SFA(a)１８．６ｇ、AE２００(b)を１０．５ｇ、ADE３００(ｃ)を０．９ｇ、２−メルカプトエタノールを０．４５ｇとMEK４５ｇを仕込んで、実施例１と同様の重合反応を行い、固形分濃度が約２０重量％の水分散液を調整した。【００６３】
［実施例８］
実施例７におけるADE３００(ｃ)を２−ヒドロキシ−１−アクリロキシ−３−メタクリロキシプロパン CH2=CHC(=O)O−CH2CH(OH)CH2−O−C(=O)C(CH3)＝CH2（NKエステル７０１A、新中村化学工業株式会社製、以下、ＮＫ７０１A(ｃ)と記す）に置換えて、実施例１と同様の重合反応を行い、固形分濃度が約２０重量％の水分散液を調整した。【００６４】
［実施例９］
実施例７におけるADE３００(ｃ)を１,６−ヘキサンジオールジアクリレート CH2=CHC(=O)O−(CH2)6−O−C(=O)CH＝CH2（NKエステルA−HD、新中村化学工業株式会社製、以下、A−HD(ｃ)と記す）に置換えて、実施例１と同様の重合反応を行い、固形分濃度が約２０重量％の水分散液を調整した。【００６５】
［実施例１０］
実施例５におけるAE２００(b)をポリエチレングリコールメタアクリレート CH2=C(CH3)C(=O)O−(CH2CH2O)n−H（BLEMMER  PE２００、日油株式会社製、nの平均値は４．５、以下、PE２００(b)と記す）に置換えて、実施例１と同様の重合反応を行い、固形分濃度が約２０重量％の水分散液を調整した。【００６６】
［実施例１１］
実施例５におけるADE３００(ｃ)をポリエチレングリコールジメタクリレート CH2=C(CH3)C(=O)O−(CH2CH2O)n−C(=O)C(CH3)＝CH2（NKエステル４G、新中村化学工業株式会社製、nの平均値は４、以下、NK４G(ｃ)と記す）に置換えて、実施例１と同様の重合反応を行ったところ、固形分濃度が約２０重量％の水分散液を調整した。【００６７】
［比較例１］
実施例１におけるAE９０(ｂ)をメトキシポリエチレングリコール４００アクリレート CH2=CHC(=O)O−(CH2CH2O)n−CH3 
（NKエステル  AM−９０G、新中村化学工業株式会社製、nの平均値は9、以下、AM-90Gと記す）に置換えて、実施例１と同様の重合反応を行い、固形分濃度が約２０重量％の水分散液を調整した。
最終的に得られた水への分散溶液は、２４時間後にはポリマーと水が分離し、水への分散安定性が悪かった。【００６８】
［比較例２］
実施例１におけるAE９０(ｂ)をメトキシ−トリエチレングリコールアクリレート CH2=CHC(=O)O−(CH2CH2O)n−CH3
（ライトアクリレートMTG−A、共栄社化学株式会社製、nの値は３、以下、MTG−Aと記す）に置換えて、実施例１と同様の重合反応を行った。
最終的に得られた水への分散溶液は、ポリマーと水が分離した状態で、水に分散できなかった。【００６９】
［比較例３］
実施例１におけるAE９０(ｂ)をメトキシポリエチレングリコールメタクリレートCH2=C(CH3)C(=O)O−(CH2CH2O)n−CH3 
（NKエステル  M−９０G、新中村化学工業株式会社製、nの平均値は9、以下、M-90Gと記す）に置換えて、実施例１と同様の重合反応を行い、固形分濃度が約２０重量％の水分散液を調整した。
最終的に得られた水への分散溶液は、２４時間後にはポリマーと水が分離し、水への分散安定性が悪かった。【００７０】
［比較例４］
実施例１におけるAE９０(b)をメトキシジエチレングリコールメタクリレートCH2=C(CH3)C(=O)O−(CH2CH2O)n−CH3（NKエステル  M−２０G、新中村化学工業株式会社製、nは２、以下、M-２０Gと記す）に置換えて、実施例１と同様の重合反応を行った。Ｃ６SFA(a)の転化率は９８．４％であった。
最終的に得られた水への分散溶液は、ポリマーと水が分離した状態で、水に分散できなかった。【００７１】
［比較例５］
実施例１におけるAE９０(ｂ)をメトキシポリエチレングリコール−モノメタクリレートCH2=C(CH3)C(=O)O−(CH2CH2O)n−CH3（BLEMMER  PME４０００、日油株式会社製、nの平均値は９０、以下、PME４０００と記す）に置換えて、実施例１と同様の重合反応を行い、固形分濃度が約２０重量％の水分散液を調整した。【００７２】
［比較例６］
比較例４におけるC６SFA(a)をC6SFMA(a)に置換えて、実施例１と同様の重合反応を行った。C6SFMA(a)の転化率は９５．０％であった。
最終的に得られた水への分散溶液は、ポリマーと水が分離した状態で、水に分散できなかった。【００７３】
［比較例７］
実施例５におけるC６SFA(a)をC6SFMA(a)に置換え、AE２００(ｂ)をMTG−Aに置換えて、実施例１と同様の重合反応を行った。
最終的に得られた水への分散溶液は、ポリマーと水が分離した状態で、水に分散できなかった。【００７４】
［比較例８］
還流冷却管、窒素導入管、温度計および撹拌装置を備えた１００ｍｌ四つ口フラスコにC６SFA(a)１８．６ｇ、AE９０(ｂ)を８．４ｇ、ジメチルアミノエチルメタクリレートCH2=C(CH3)C(=O)O−CH2CH2N(CH3)2（ライトエステルDM、共栄社化学株式会社製、以下、DMと記す）を３ｇ、２−メルカプトエタノールを０．３ｇとMEK４５ｇを仕込んで、３０分間窒素バブリングした。
窒素気流下で内温を５０−６５℃に昇温後、パーブチルPV (以下、PVと記す)を０．４ｇ添加し、６０から６５℃で６時間反応させた。
C６SFA(a)の転化率は９９．２％であった。
得られた溶液を減圧条件下にて約７０℃でMEKを留去し、淡黄色ポリマー残渣を得た後、水を１２１．２gと酢酸を１．２ｇ添加し、内温を約８０℃で1hr以上保った後、冷却して固形分濃度が約２０重量％の水分散液を調整した。
最終的に得られた水分散液は、２４時間後にはポリマーと水が分離し、水への分散安定性が悪かった。【００７５】
［比較例９］
還流冷却管、窒素導入管、温度計および撹拌装置を備えた１００ｍｌ四つ口フラスコにC６SFA(a)１８．６ｇ、AE２００(ｂ)を７．５ｇ、DMを３ｇ、２−メルカプトエタノールを０．３ｇとMEK４５ｇを仕込んで、比較例８と同様の重合反応を行った。
最終的に得られた水への分散溶液は、ポリマーと水が分離した状態で、水に分散できなかった。【００７６】
［比較例１０］
還流冷却管、窒素導入管、温度計および撹拌装置を備えた１００ｍｌ四つ口フラスコにC６SFMA(a)２２．８ｇ、HEMA(ｂ)を３．３ｇ、DMを３．６ｇ、ポリエチレングリコールジメタクリレート CH2=C(CH3)C(=O)O−(CH2CH2O)n−C(=O)C(CH3)＝CH2（NKエステル３G、新中村化学工業株式会社製、n値は３、以下、NK３G(ｃ)と記す）を０．３ｇとMEK４５ｇを仕込んで、比較例８と同様の重合反応を行った。
C6SFMA(a)の転化率は９４．６％であった。
得られた溶液を減圧条件下にて約７０℃でMEKを留去し、淡黄色ポリマー残渣を得た後、水を１２１gと酢酸を１．４ｇ添加し、内温を約８０℃で1hr以上保った後、冷却し、最終的に得られた水への分散溶液は、ポリマーと水が分離した状態で、水に分散できなかった。【００７７】
［比較例１１］
還流冷却管、窒素導入管、温度計および撹拌装置を備えた１００ｍｌ四つ口フラスコにC６SFMA(a)２２．５ｇ、DMを４．５ｇ、PE３５０を３ｇとMEK４５ｇを仕込んで、比較例８と同様の重合反応を行った。C6SFMA(a)の転化率は９４．７％であった。
得られた溶液を減圧条件下にて約７０℃でMEKを留去し、淡黄色ポリマー残渣を得た後、水を１２０．６gと酢酸を１．８ｇ添加し、内温を約８０℃で1hr以上保った後、冷却して固形分濃度が約２０重量％の水分散液を調整した。【００７８】
試験例
試験紙の作製
米国のウエストミシガン大学内にある試験抄紙機を用いて作製した。
製造方法を以下に示す。
パルプの種類は、LBKB（＝広葉樹さらしクラフトパルプ）とNBKP（針葉樹さらしクラフトパルプ）を使用し、比率は６／４（L／N）であり、かつ、パルプのろ水度が４００ｍｌ（Ｃａｎａｄｉａｎ  Ｓｔａｎｄａｒｄ  Ｆｒｅｅｎｅｓｓ）のパルプを使用した。
パルプ濃度が約２％のスラリーの中に、カチオン化スターチＳｔａｙｌｏｃ４００（Ｔａｔｅ  ａｎｄ  Ｌｙｌｅ社製）を乾燥パルプに対して２重量％添加し、さらにサイズ剤Ｈｅｒｃｏｎ７０（Ｈｅｒｃｕｌｅｓ社製）を乾燥パルプに対して０．０３７５重量％添加したパルプスラリーを使用して長網抄紙機により紙を作製した。
得られた紙の坪量は６０ｇ／ｍ２で厚みは０．１ｍｍであった。【００７９】
外添加工
各耐油水溶液（すなわち、重合体の水分散溶液）を０．２重量％の固形分濃度に水で希釈して処理液を調整した。
希釈液に未処理の試験紙を浸漬した後、絞り機にて絞り圧0.1kg/cmで絞った（サイズプレス法）。処理した試験紙のウエットピックアップは約９０％であった。表４に示した。
その後、ドラム型ドライヤーにて115℃で70秒間乾燥した。
試験の結果を表２に示す。【００８０】
【表２】
0005561160.tif 000003
【００８１】
表の注：
C6SFA(a)：  CH2＝CHC(=O)O−CH2CH2C6F13
HEMA(b)：  ２−ヒドロキシエチルメタアクリレート
HEA(b)：  ２−ヒドロキシエチルアクリレート（以下、HEA(b)
AE9０(b)：  ポリエチレングリコールアクリレート CH2=CHC(=O)O−(CH2CH2O)n−H
（nの平均値は２）
AE２００(b)：  ポリエチレングリコールアクリレート CH2=CHC(=O)O−(CH2CH2O)n−H  （nの平均値は４．５）
PE２００(b)：  ポリエチレングリコールメタアクリレート CH2=C(CH3)C(=O)O−(CH2CH2O)n−H  （nの平均値は４．５）
PE３５０(b)：  ポリエチレングリコールメタアクリレート CH2=C(CH3)C(=O)O−(CH2CH2O)n−H  （nの平均値は８)
ADE３００(ｃ)：  ポリエチレングリコールジアクリレート CH2=CHC(=O)O−(CH2CH2O)n−C(=O)CH＝CH2（nの平均値は７）
NK４G(ｃ)：  ポリエチレングリコールジメタクリレート CH2=C(CH3)C(=O)O−(CH2CH2O)n−C(=O)C(CH3)＝CH2（nの平均値は４）
NK７０１A(ｃ)：  ２−ヒドロキシ−１−アクリロキシ−３−メタクリロキシプロパン CH2=CHC(=O)O−CH2CH(OH)CH2−O−C(=O)C(CH3)＝CH2
A−HD(ｃ):  １,６−ヘキサンジオールジアクリレート CH2=CHC(=O)O−(CH2)6−O−C(=O)CH＝CH2
【００８２】
比較試験例結果を表３に示す。【００８３】
【表３】
0005561160.tif 000004
【００８４】
表の注：
C6SFA(a)：  CH2＝CHC(=O)O−CH2CH2C6F13
C6SFMA(a)：  CH2＝C(CH3)C(=O)O−CH2CH2C6F13
HEMA(b)：  ２−ヒドロキシエチルメタアクリレート
HEA(b)：  ２−ヒドロキシエチルアクリレート（以下、HEA(b)
AE9０(b)：  ポリエチレングリコールアクリレート CH2=CHC(=O)O−(CH2CH2O)n−H
（nの平均値は２）
AE２００(b)：  ポリエチレングリコールアクリレート CH2=CHC(=O)O−(CH2CH2O)n−H  （nの平均値は４．５）
DM：  ジメチルアミノエチルメタクリレートCH2=C(CH3)C(=O)O−CH2CH2N(CH3)2
PE３５０(b)：  ポリエチレングリコールメタアクリレート CH2=C(CH3)C(=O)O−(CH2CH2O)n−H  （nの平均値は８)
AM90G：  メトキシポリエチレングリコール４００アクリレート CH2=CHC(=O)O−(CH2CH2O)n−CH3  （nの平均値は9）
MTG−A  メトキシ−トリエチレングリコールアクリレート CH2=CHC(=O)O−(CH2CH2O)n−CH3  （nの値は３）
M90G：  メトキシポリエチレングリコールメタクリレートCH2=C(CH3)C(=O)O−(CH2CH2O)n−CH3  （nの平均値は9）
M２０G：  メトキシジエチレングリコールメタクリレートCH2=C(CH3)C(=O)O−(CH2CH2O)n−CH3（nは２）
PME４０００：  メトキシポリエチレングリコール−モノメタクリレートCH2=C(CH3)C(=O)O−(CH2CH2O)n−CH3（nの平均値は９０）
ADE３００(ｃ)：  ポリエチレングリコールジアクリレート CH2=CHC(=O)O−(CH2CH2O)n−C(=O)CH＝CH2（nの平均値は７）
NK３G(ｃ)：  ポリエチレングリコールジメタクリレート CH2=C(CH3)C(=O)O−(CH2CH2O)n−C(=O)C(CH3)＝CH2（n値は３）【００８５】
【表４】
0005561160.tif 000005
【００８６】
比較例２、４、６、７の含フッ素重合体は、水への均一分散ができなかった。
そのため、外添加工は行っていない。
比較例１、３、５の含フッ素重合体は、一時的な水への分散は可能であったため紙に処理してみたが、紙に対して充分な耐油性を付与することができなかった。【００８７】
また、アミノモノマーを含有した含フッ素共重合体である比較例９、１０は水へ均一分散できなかった。そのため、外添加工は行っていない。
一時的な水への分散は可能であった比較例８と２４時間後も水へ均一分散した比較例１１を紙に処理してみたが、本発明の含フッ素共重合体の方が耐油性において勝っていた。
本発明の含フッ素共重合体は、重合体にアミノ基を含有した含フッ素共重合体と比較して、同等以上の耐油性を与えることがわかる。